(57)【要約】【課題】従来の技術における安定性の問題を解決するため、電流保存複製機能の持ち、再生調節段階において複製電流信号を導通する電流保存複製モジュールを含むデータ駆動回路を提供する。【解決手段】データ駆動回路３０は、受信したデジタル信号をアナログ電流信号に変換するデジタル／アナログ電流変換器３８と、変換保存段階においてアナログ電流信号を導通するに必要な予定電圧を保存し、再生調節段階において複製電流信号をデータラインに導通する電流保存複製モジュール４２と、デジタル／アナログ電流変換器３８と電流保存複製モジュール４２との間に電気的に接続され、変換保存段階と再生調節段階に切り替えさせる制御回路とを含む。複製電流信号はグレイスケール電流信号であってアナログ電流信号とほぼ同じである。【選択図】      図４
2004272191.tif 000002
【特許請求の範囲】
【請求項１】
電流駆動の表示デバイスに使用され、デジタル信号を受信してグレイスケール電流信号を出力して表示デバイスにおけるデータラインを駆動するためのデータ駆動回路であって、該データ駆動回路は、
受信したデジタル信号をアナログ電流信号に変換するデジタル／アナログ電流変換器と、
変換保存段階においてアナログ電流信号を導通するに必要な予定電圧を保存し、再生調節段階において複製電流信号をデータラインに導通する電流保存複製モジュールと、
デジタル／アナログ電流変換器と電流保存複製モジュールとの間に電気的に接続され、変換保存段階と再生調節段階に切り替えさせる制御回路とを含み、
そのうち複製電流信号はグレイスケール電流信号であってアナログ電流信号とほぼ同じであることを特徴とするデータ駆動回路。
【請求項２】
前記複製電流信号は予定電圧によって発生することを特徴とする請求項１記載のデータ駆動回路。
【請求項３】
前記データ駆動回路は更に、デジタル信号の電位を調整するための少なくとも一つのレベルシフターを具えることを特徴とする請求項１記載のデータ駆動回路。
【請求項４】
前記データ駆動回路は更に、デジタル信号をラッチングするための少なくとも一つのラッチを具えることを特徴とする請求項１記載のデータ駆動回路。
【請求項５】
前記データ駆動回路は更に、スイッチ信号を制御回路に出力するシフトレジスターを具え、データ駆動回路を変換保存段階と再生調節段階に切り替えさせることを特徴とする請求項１記載のデータ駆動回路。
【請求項６】
前記スイッチ信号が高電位にある場合、データ駆動回路は変換保存段階にあり、制御回路はデジタル／アナログ電流変換器と電流保存複製モジュールとを互いに接続させ、デジタル／アナログ電流変換器により発生するアナログ電流信号を電流保存複製モジュールに導通し、電流保存複製モジュールはアナログ電流信号を導通するに必要な予定電圧を保存することを特徴とする請求項５記載のデータ駆動回路。
【請求項７】
前記電流保存複製モジュールは少なくとも一つのコンデンサーと、複数のＭＯＳトランジスターもしくは薄膜トランジスターとを具え、前記予定電圧値はそのうち一つのトランジスターのゲート−ソース電圧であることを特徴とする請求項６記載のデータ駆動回路。
【請求項８】
前記スイッチ信号が低電位にある場合、データ駆動回路は再生調節段階にあり、制御回路はデジタル／アナログ電流変換器と電流保存複製モジュールとの間の経路を切断し、複製電流信号をデータラインに導通することを特徴とする請求項５記載のデータ駆動回路。
【請求項９】
前記デジタル／アナログ電流変換器は電流調節型デジタル／アナログ電流変換器またはその他のデジタル／アナログ電流変換器であることを特徴とする請求項１記載のデータ駆動回路。
【請求項１０】
前記表示デバイスは有機発光ダイオードディスプレイ、ポリマー発光ダイオードディスプレイまたはその他の電流駆動のディスプレイであることを特徴とする請求項１記載のデータ駆動回路。
【請求項１１】
電流駆動の表示デバイスに使用され、デジタル信号を受信して表示デバイスにおけるデータラインを駆動するためのデータ駆動回路であって、該データ駆動回路は、
受信したデジタル信号の電位を調整する少なくとも一つのレベルシフターと、レベルシフターと電気的に接続されてデジタル信号をアナログ電流信号に変換する少なくとも一つの電流調節型デジタル／アナログ電流変換器と、
変換保存段階においてアナログ電流信号を導通するに必要な予定電圧を保存し、再生調節段階において予定電圧によって発生する複製電流信号をデータラインに導通する電流保存複製モジュールと、
デジタル／アナログ電流変換器と電流保存複製モジュールとの間に電気的に接続され、変換保存段階と再生調節段階に切り替えさせる制御回路を含み、
そのうち複製電流信号はアナログ電流信号とほぼ同じであることを特徴とするデータ駆動回路。
【請求項１２】
前記データ駆動回路は更に、デジタル信号をラッチングするための少なくとも一つのラッチを具えることを特徴とする請求項１１記載のデータ駆動回路。
【請求項１３】
前記データ駆動回路は更に、スイッチ信号を制御回路に出力するシフトレジスターを具え、データ駆動回路を変換保存段階と再生調節段階に切り替えさせることを特徴とする請求項１１記載のデータ駆動回路。
【請求項１４】
前記スイッチ信号が高電位にある場合、データ駆動回路は変換保存段階にあり、制御回路はデジタル／アナログ電流変換器と電流保存複製モジュールとを互いに接続させ、デジタル／アナログ電流変換器により発生するアナログ電流信号を電流保存複製モジュールに導通し、電流保存複製モジュールはアナログ電流信号を導通するに必要な予定電圧を保存することを特徴とする請求項１３記載のデータ駆動回路。
【請求項１５】
前記電流保存複製モジュールは少なくとも一つのコンデンサーと、複数のＭＯＳトランジスターもしくは薄膜トランジスターとを具え、前記予定電圧値はそのうち一つのトランジスターのゲート−ソース電圧であることを特徴とする請求項１４記載のデータ駆動回路。
【請求項１６】
前記スイッチ信号が低電位にある場合、データ駆動回路は再生調節段階にあり、制御回路はデジタル／アナログ電流変換器と電流保存複製モジュールとの間の経路を切断し、複製電流信号をデータラインに導通することを特徴とする請求項１３記載のデータ駆動回路。
【請求項１７】
前記表示デバイスは更にデータラインに対応する複数のピクセルと、複数のピクセルに対応する複数のスキャンラインとを具え、データ駆動回路が再生調節段階において、少なくとも一つのスキャンラインは対応するピクセルを作動させ、データラインが複製電流信号を対応するピクセルに導通するようにさせることを特徴とする請求項１６記載のデータ駆動回路。
【請求項１８】
前記各ピクセルが電流保存複製機能を持つことを特徴とする請求項１７記載のデータ駆動回路。
【請求項１９】
表示デバイスは有機発光ダイオードディスプレイ、ポリマー発光ダイオードディスプレイまたはその他の電流駆動のディスプレイであることを特徴とする請求項１１記載のデータ駆動回路。
【発明の詳細な説明】
【０００１】
【発明の属する技術分野】
この発明は電流駆動の表示デバイスに使用されるデータ駆動回路に関し、特に電流保存複製モジュールを含んで電流保存複製機能の持つデータ駆動回路に関する。
【０００２】
【従来の技術】
有機発光ダイオードディスプレイは高光度、高反応速度、大視角、薄型などの特長を持つため、液晶ディスプレイとその関連表示装置と同じく、コンパクトな表示装置に応用される。その応用範囲については、数多くの電気製品、例えばノートブック型コンピューターまたはデジタルカメラの分野から、航空宇宙、医療機器の分野まで幅広く使われている。有機発光ダイオードは電流駆動デバイスであり、その光度は通過電流によって決められる。現在有機発光ダイオードがマトリックス式ディスプレイにおける応用は有機発光ダイオードの駆動電流を制御することによって、それぞれの光度（グレイスケール値とも称する）を表示させる。
【０００３】
スキャンライン駆動方法の差異によって、マトリックス式有機発光ダイオードディスプレイは受動型マトリックスディスプレイと能動型マトリックスディスプレイと二種類に分けられる。受動型マトリックスディスプレイはスキャンラインを順次駆動する方法によって、それぞれの行／列におけるピクセルを一つずつ駆動するため、各行／列におけるピクセルの発光時間はディスプレイの走査周波数とスキャンラインの数量に限られ、大画面と高解像度（スキャンラインの増加に等しい）のディスプレイに不向きである。能動型マトリックスディスプレイは各ピクセルにおいて独立したピクセル回路を形成する。図１を参照する。図１はピクセル２０の回路構造を表わす説明図である。図１におけるピクセル２０はコンデンサーＣ１と、有機発光ダイオードＤと、複数のＭＯＳトランジスターもしくは薄膜トランジスターＴ１〜Ｔ４を含み、ピクセル２０の回路を通して有機発光ダイオードＤの駆動電流Ｉを制御するため、大画面と高解像度の要求においても、各ピクセル２０に安定した駆動電流Ｉを持続的に提供し、ディスプレイの光度の均一性を向上させる。
【０００４】
なお、省エネルギー、システム統合の便利性とコストの節約に配慮するうえ、液晶ディスプレイの発展と同じく、数多くの有機発光ダイオードディスプレイはデジタルデータ入力を採用するため、デジタル／アナログ変換器をデータ駆動回路に統合しなければならない。また、有機発光ダイオードディスプレイの光度は電流によって制御され、即ちデジタル／アナログ変換器はデジタルデータをアナログ電流に変換するデジタル／アナログ変換回路でなければならず、いわばデジタル／アナログ電流変換回路である。同時に、対応するピクセルは電流駆動のピクセル（例えば図１におけるピクセル２０）でなければならない。図２を参照する。図２は従来のデータ駆動回路のブロック図である。図２は図１におけるピクセル２０に対応するデータ駆動回路１０を表わし、データ駆動回路１０はレベルシフター１２と、ラッチ１４と、シフトレジスター１６と、デジタル／アナログ電流変換器１８とを含む。レベルシフター１２はデジタル信号（ここでは六ビットのデジタル信号）を受信して電位を調整し、ラッチ１４はレベルシフターの後ろに電気的に接続され、デジタル信号をバッファリングする機能を持つようになり、ラッチ１４は六ビットのデジタル信号をラッチングできる。ゆえに従来の技術においてラッチ１４は六ビットのラッチであり、シフトレジスター１６はシフトレジスター信号を出力し、ディスプレイにおけるピクセル２０に対応するデジタル信号を一回に全部レベルシフターに送信し、レベルシフターに電圧を調整してバッファリングさせてから、デジタル信号をラッチ１４に送信し、ラッチ１４にレベルシフティングとバッファリングさせる。デジタル／アナログ電流変換器１８はラッチ１４の後ろに接続され、ラッチ１４から出力されるデジタル信号を受信し、デジタルデータをアナログ電流信号に変換し、アナログ電流信号を対応するデータライン１９に出力する。またデジタル電流信号によってグレイスケールの色合いを制御する。前述の従来の技術の基本構造は数多くの液晶ディスプレイのデータ駆動回路の設計に関わる特許と文献に掲げられ、有機発光ダイオードディスプレイはその構造をわずかに変更するものであり、例えば液晶ディスプレイのデジタル／アナログ変換器をデジタル／アナログ電流変換器に入れ替える。１９９６年ＳＩＤ  ９６  Ｄｉｇｅｓｔ誌の”Ｌｏｗ  Ｔｅｍｐｅｒａｔｕｒｅ  ｐｏｌｙ−Ｓｉ  ＴＦＴ−ＬＣＤ  ｗｉｔｈ  ｉｎｔｅｇｒａｔｅｄ  ６−ｂｉｔ  Ｄｉｇｉｔａｌ  Ｄａｔａ  Ｄｒｉｖｅｒ”において、Ｙｏｊｉｒｏ  Ｍａｔｓｕｅｄａ及びその他は低温ポリシリコン技術によってデータ駆動回路をガラスに製作し、デジタル六ビットのデータ駆動回路構造を掲示する。更にアメリカ合衆国特許第６，２５６，０２４号”Ｌｉｑｕｉｄ  ｃｒｙｓｔａｌ  ｄｉｓｐｌａｙ  ｄｅｖｉｃｅ”において、Ｍａｅｋａｗａ及びその他は前述に類似する液晶ディスプレイの構造を掲示する。
【０００５】
四ビットデジタルデータ入力のパネルを例にすれば、Ｊ．  Ｋａｎｉｃｋｉ及びその他（アメリカ合衆国ミシガン大学）は簡単なデジタル／アナログ電流変換器回路を掲示する。寸法比率が１：２：４：８である四つの薄膜トランジスターを具える電流ソースによって十六種類のグレイスケール電流Ｉｇを発生させる。図３を参照する。図３は図２におけるデジタル駆動回路１０のデジタル／アナログ電流変換器１８を表わす説明図である。図示によれば、デジタル／アナログ電流変換器１８は複数のトランジスターＴ５〜Ｔ９によって構成される。グレイスケール電流Ｉｇは四個の寸法比率が１：２：４：８である薄膜トランジスターＴ１〜Ｔ４によって制御されるため、万一そのうちいずれかの薄膜トランジスターの閾値電圧と移動度により多い変化量が生じれば、グレイスケール電流Ｉｇは直ちに影響され、進んで対応するパネルのピクセル（例えば図１と図２におけるピクセル２０）の表示均一性は影響される。なお、かかるデジタル／アナログ電流変換器１８の出力インピーダンスが足りず、デジタル／アナログ電流変換器１８を通過する電流の影響を受けやすく、デジタル／アナログ電流変換器１８の出力電圧が出力電流によって変わり、デジタル／アナログ電流変換器１８に対応するピクセル（例えば図１と図２におけるピクセル２０）とが短絡するとき、その出力電流は安定した十六個のグレイスケール電流ではなくなる。よって、従来のデータ駆動回路には未だに改善する余地がある。
【０００６】
【発明が解決しようとする課題】
この発明は前述の問題を解決するため、電流保存複製機能の持ち、再生調節段階において複製電流信号を導通する電流保存複製モジュールを含むデータ駆動回路を提供することによって、安定したグレイスケール電流を提供して表示デバイスを駆動することを課題とする。
【０００７】
【課題を解決するための手段】
この発明は電流駆動の表示デバイスに使用され、デジタル信号を受信してグレイスケール電流信号を出力して表示デバイスにおけるデータラインを駆動するためのデータ駆動回路を提供する。該データ駆動回路は、受信したデジタル信号をアナログ電流信号に変換するデジタル／アナログ電流変換器と、変換保存段階においてアナログ電流信号を導通するに必要な予定電圧を保存し、再生調節段階において複製電流信号をデータラインに導通する電流保存複製モジュールと、デジタル／アナログ電流変換器と電流保存複製モジュールとの間に電気的に接続され、変換保存段階と再生調節段階に切り替えさせる制御回路とを含む。そのうち複製電流信号はグレイスケール電流信号であってアナログ電流信号とほぼ同じである。
【０００８】
この発明は電流駆動の表示デバイスに使用され、デジタル信号を受信して表示デバイスにおけるデータラインを駆動するためのデータ駆動回路を提供する。該データ駆動回路は、受信したデジタル信号の電位を調整する少なくとも一つのレベルシフターと、レベルシフターと電気的に接続されてデジタル信号をアナログ電流信号に変換する少なくとも一つの電流調節型デジタル／アナログ電流変換器と、変換保存段階においてアナログ電流信号を導通するに必要な予定電圧を保存し、再生調節段階において予定電圧によって発生する複製電流信号をデータラインに導通する電流保存複製モジュールと、デジタル／アナログ電流変換器と電流保存複製モジュールとの間に電気的に接続され、変換保存段階と再生調節段階に切り替えさせる制御回路を含む。そのうち複製電流信号はアナログ電流信号とほぼ同じである。
【０００９】
かかるデータ駆動回路の特徴を詳述するために、具体的な実施例を挙げ、図示を参照にして以下に説明する。
【００１０】
【発明の実施の形態】
（第１の実施例）
図４を参照する。図４はこの発明の第１の実施例によるデータ駆動回路３０のブロック図である。データ駆動回路３０の構造は図２に掲示されるのとほぼ同じ、デジタル信号を受信してグレイスケール電流信号を出力して表示デバイスのデータライン３９を駆動するものである。表示デバイスは有機発光ダイオードディスプレイ、有機ポリマー発光ダイオードディスプレイ、またはその他の電流駆動のディスプレイである。従来の技術との最大な差異は電流保存複製モジュール４２と制御回路４０の増設にある。図３におけるデータ駆動回路３０は同じくディスプレイにおけるピクセル４０に対応するデータ駆動回路であって、レベルシフター３２と、シフトレジスター３６と、デジタル／アナログ電流変換器３８と、電流保存複製モジュール４２と、制御回路４４とを含む。そのうちデジタル／アナログ電流変換器３８と、電流保存複製モジュール４２と、制御回路４４は新型デジタル／アナログ電流変換回路３４に統合してもよい。レベルシフター３２はデジタル信号（この実施例においては六ビットのデジタル信号）を受信して電位を調整する同時に、六ビットのデジタル信号をバッファリングとラッチングする。シフトレジスター３６はシフトレジスター信号ＳＲとスイッチ信号ＳＷとを出力し、シフトレジスター信号ＳＲはディスプレイにおけるピクセル４０のデジタル信号を一回に全部レベルシフター３２に送信し、レベルシフター３２にレベルシフティングとバッファリングさせてから、デジタル信号をデジタル／アナログ電流変換器３８に送信する。デジタル／アナログ電流変換器３８は受信したデジタル信号をアナログ電流信号に変換し、電流保存複製モジュール４２は変換保存段階においてアナログ電流信号を導通するに必要な予定電圧を保存し、再生調節段階において複製電流信号をデータライン３９に導通する。変換保存段階と再生調節段階の切り替えは制御回路４４とスイッチ信号ＳＷによって行われ、その技術特徴は後述にある。データライン３９はピクセル４０と接続され、電流保存複製モジュール４２がデータライン３９に導通する複製電流はグレイスケール電流であり、データ駆動回路３０は複製電流信号の大きさによってパネルのグレイスケールの色合いを制御する。
【００１１】
（第２の実施例）
注意すべき点は、この実施例において、レベルシフター３２は図２における従来のラッチ１４の機能を具えることである。実際の実施において、ラッチをシステムに増設してもよく、レベルシフター３２またはラッチの数量は限られず、需要に応じて増減される。なお、スイッチ信号ＳＷは図４におけるシフトレジスター３６によって発生するかその他の関連制御モジュールによって発生する。図５を参照する。図５はこの発明の第２の実施例によるデータ駆動回路３０のブロック図である。図５におけるデバイスの機能と符号付けは図４と同じであり、たった一つの差異はスイッチ信号ＳＷはシフトレジスター３６の代わりに、その他の関連制御モジュールによって発生することである。
【００１２】
図６を参照する。図６は図４（または図５）におけるデジタル／アナログ電流変換回路３４を表わす説明図である。図６は図４におけるデジタル／アナログ電流変換回路３４と、電流保存複製モジュール４２と、制御回路４４を選び出して、更にデータライン３９を説明し、前述における変換保存段階を表わすものである。デジタル／アナログ電流変換器３８は図６において電流調節型デジタル／アナログ電流変換器３８であり、より高い出力インピーダンスを具え、デジタル／アナログ電流変換器３８を通過する電流による出力電圧値の影響が少ない。制御回路４４はデジタル／アナログ電流変換器３８と電流保存複製モジュール４２との間に接続され、概して二つのトランジスターＴ１０、Ｔ１１によって構成されると見なしてもよい。制御回路４４はスイッチ信号ＳＷを受信し、スイッチ信号ＳＷによってデジタル／アナログ電流変換器３８に変換保存段階と再生調節段階と切り替えさせる。この実施例による電流保存複製モジュール４２はコンデンサーＣと、複数のＭＯＳトランジスターもしくは薄膜トランジスターを具え、そのうちコンデンサーＣはアナログ電流信号を導通するに必要な予定電圧を保存する機能を持つ。適当な外部電圧ソース（例えばＶｄｄ、Ｖｂｉａｓ）と、電流ソース（ｉ、２ｉ、…、２Ｎ−１ｉ）と、データ入力（Ｄ０、Ｄ１、…、ＤＮ−１）と、接地などの動作条件を提供する場合においては、デジタル／アナログ電流変換回路３４は関連動作を行える。
【００１３】
図６を参照する。制御回路４４が受信したスイッチ信号ＳＷが高電位にある場合、デジタル／アナログ電流変換回路３４は変換保存段階にあり、本来図４（または図５）におけるレベルシフター３２によって増幅されるデジタル信号は図６におけるデジタル／アナログ電流変換器３８によって処理された後、対応するアナログ電流信号を出力する。変換保存段階において、スイッチ信号ＳＷが高電位にあるため、トランジスターＴ１１はオフにされ、制御回路４４はデータライン３９にまでの経路を切断し、トランジスターＴ１０はオンにされて作動し、即ち制御回路４４はデジタル／アナログ電流変換器３８と電流保存複製モジュール４２との間の経路を接続し、アナログ電流信号を電流保存複製モジュール４２にまで導通する（図６における電流方向を表わす矢印Ｉｃの通り）。この時アナログ電流信号は電流保存複製モジュール４２における電圧ＶｄｄとコンデンサーＣと接続されるＰ型ＭＯＳトランジスターＴとコンデンサーＣを通過し、コンデンサーＣにアナログ電流信号を導通するに必要な予定電圧を保存させる。言い換えれば、この実施例において、予定電圧はＰ型ＭＯＳトランジスターＴのゲート−ソース電圧（Ｖｇｓ）である。注意すべき点は、まず、電流保存複製モジュール４２はＭＯＳトランジスターまたは薄膜トランジスターによって構成されてもよく、即ち、予定電圧はＰ型薄膜トランジスターＴのゲート−ソース電圧（Ｖｇｓ）であってもよいことである。実際に、この実施例における電流保存複製モジュール４２についての主要な技術特徴は特定の電圧を保存してアナログ電流信号の導通に提供することにあるため、その他のトランジスターとコンデンサーＣもしくは回路デバイスからなる結合もこの実施例における電流保存複製モジュール４２に属する。もっとも、回路デバイスの結合によって、前述の変換保存段階の切り替えを行うため、制御回路４４が受信するスイッチ信号ＳＷは必ずしもこの実施例のような高電位であるわけでなく、適当な調整は必要である。
【００１４】
スイッチ信号ＳＷが低電位に戻る場合、デジタル／アナログ電流変換回路３４は再生調節段階になる。デジタル／アナログ電流変換回路３４が再生調節段階における動作は図７の通りである。図７は図６におけるデジタル／アナログ電流変換回路３４が再生調節段階における動作を表わす説明図である。図７におけるデバイスの機能と符号付けは図６と同じであり、その主な差異は、スイッチ信号ＳＷが高電位から低電位に戻る場合、トランジスターＴ１１は作動し、電流保存複製モジュール４２は再生調節段階において複製電流信号をデータライン３９に導通する（図７における電流方向を表わす矢印Ｉｏの通り）ことである。デジタル／アナログ電流変換回路３４が再生調節段階において、制御回路４４（制御回路４４が受信した低電位スイッチ信号ＳＷはトランジスターＴ１０をオフにする）はデジタル／アナログ電流変換器３８と電流保存複製モジュール４２との間の接続を切断し、複製電流信号をデータライン３９に導通し、データライン３９と接続されるピクセル４０を駆動する。複製電流信号は電流保存複製モジュール４２が前の変換保存段階において保存した予定電圧によって発生する。予定電圧はアナログ電流信号を導通する必要に応じて保存されるため、複製電流信号は本来のデジタル／アナログ電流変換器３８によって発生されるアナログ電流信号とほぼ同じである。注意すべき点は、前述の変換保存段階における動作と同じく、トランジスターとコンデンサーＣもしくは回路デバイスからなる結合はこの発明による電流保存複製モジュール４２に属するため、回路デバイスの結合によって、前述の変換保存段階の切り替えを行うために、制御回路４４が受信するスイッチ信号ＳＷは適当な調整が必要である。なお、図６と図７における電流方向は相対的である。例えば再生調節段階におけるデジタル／アナログ電流変換回路３４の電流方向はデータライン３９に電流信号を出力する（電流ソースにする）方向である。仮に電流を逆方向にすれば、即ちこの発明によるデジタル／アナログ電流変換回路３４を電流シンクのアナログ電流ソースとしても、この発明に属する。ただしかくすれば、回路設計はそれに相応する置換と変化が必要となり、例えば回路における部分のＭＯＳトランジスターまたは薄膜トランジスターは互換する（Ｎ型、Ｐ型互換）必要となる。
【００１５】
前述のデータ駆動回路は一つのピクセルに対応する一組のデータ駆動回路である。実際の実施において、まず、前述の一組のデータ駆動回路はたった一つのピクセルに対応するのではなく、複数のピクセルに対応する。即ち、データラインは複数のピクセルと接続される。なお、この発明によるデータ駆動回路は仮に現在のマトリックスディスプレイに応用しようとすれば、複数組のデータ駆動回路でなければならない。図８を参照する。図８はこの発明によるデータ駆動回路の実際作動時のブロック図である。図８はこの発明によるデータ駆動回路５０を応用する表示デバイス６０の構造を表わす。表示デバイスは有機発光ダイオードディスプレイ、有機ポリマー発光ダイオードディスプレイ、またはその他の電流駆動のディスプレイである。表示デバイス６０はシフトレジスター５６と、複数組のデータ駆動回路５０と、複数組のデータ駆動回路５０に対応する複数のピクセル７０と、複数のピクセル７０に対応する複数のスキャンライン６８を含む。複数のピクセル７０はマトリックス方式で配列される。実際に、複数組のデータ駆動回路５０における各データ駆動回路５０の動作の技術特徴は図４から図７と同じ、各データ駆動回路５０はそれぞれレベルシフター５２と、デジタル／アナログ電流変換器５８と、電流保存複製モジュール６２と、制御回路６４とを含む。特に説明すべき点は、まず、各ピクセル７０は電流保存複製機能の持つピクセル７０であり、スイッチ信号ＳＷは必ずしもこの実施例のようにシフトレジスター５６によって発生するわけでなく、その他の関連制御モジュールによっても発生する。一つの制御回路に受信されたスイッチ信号ＳＷが低電位にある場合、制御回路６４に対応するデータ駆動回路５０は再生調節段階にある。スイッチ信号ＳＷはデジタル／アナログ電流変換器５８への経路を切断してデータライン６９への経路を開放する同時に、対応するスキャンラインは作動し（電位が高電位になる）、そのスキャンラインと接続されるピクセル７０を全てオンにする。かくして、データ駆動回路５０の電流保存複製モジュール６２において予定電圧を保存しているコンデンサーと接続されるトランジスター（例えば図６と図７におけるトランジスターＴ）は、データライン６９と、スキャンラインにオンにされたピクセル７０と短絡する。電流保存複製モジュール６２は本来デジタル信号から変換して得たアナログ電流信号とほぼ同じかやや低い電流を導通し、この電流信号はピクセル７０に注入される。スキャンラインがオフにされた後、ピクセル７０は電流保存複製機能の持つピクセル７０であるため、ピクセル７０は本来データライン６９から注入される電流信号と同じかそれに正比例する電流信号を複製し、電流信号をピクセル７０における有機発光ダイオードまたは有機ポリマー発光ダイオードに、ピクセルが対応するスキャンライン６８が再びオンにされるまで引き続き流通させる。
【００１６】
（第３の実施例）
図８は実際の動作において、各データ駆動回路５０が具えるレベルシフター５２またはラッチ１４はデータ駆動回路５０の外部に設け、複数組のデータ駆動回路５０にレベルシフター５２またはラッチを共用させてもよい。図９を参照する。図９は図８における表示デバイス６０構造のブロック図である。図９におけるデバイスの機能と符号付けは図８と同じであり、たった一つの差異は、図９においてレベルシフター５２は複数組のデータ駆動回路５０の前方に設けられることにある。実際に、レベルシフター５２（またはラッチ）の数量は限られず、もしくはレベルシフター５２をシステムから取り外してもこの発明の範囲内に属する。ただし、デジタル信号の電位を調整するレベルシフター５２がなければ、デジタル信号は大振幅信号の形式でデータ駆動回路５０に入力される。
【００１７】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００１８】
【発明の効果】
この発明によるデータ駆動回路は電流調節型デジタル／アナログ電流変換器を含み、電流保存複製モジュールと対応する制御回路を通して電流を保存複製する。この発明によるデータ駆動回路は変換保存段階において予定電圧を保存し、再生調節段階において安定したグレイスケール電流を導通することができる。
【図面の簡単な説明】
【図１】従来のピクセルの回路構造を表わす説明図である。
【図２】従来のデータ駆動回路構造のブロック図である。
【図３】図２におけるデジタル駆動回路のデジタル／アナログ電流変換器を表わす説明図である。
【図４】この発明の第１の実施例によるデータ駆動回路のブロック図である。
【図５】この発明の第２の実施例によるデータ駆動回路のブロック図である。
【図６】図４におけるデジタル／アナログ電流変換回路を表わす説明図である。
【図７】図６におけるデジタル／アナログ電流変換回路が再生調節段階における動作を表わす説明図である。
【図８】この発明によるデータ駆動回路の実際作動時のブロック図である。
【図９】図８における表示デバイス６０構造のブロック図である。
【符号の説明】
１０、３０、５０                データ駆動回路
１２、３２、５２                レベルシフター
１４                            ラッチ
１６、３６、５６                シフトレジスター
１８、３８、５８                デジタル／アナログ電流変換器
１９、３９、６９                データライン
２０、４０、７０                ピクセル
３４                            デジタル／アナログ電流変換回路
４２、６２                      電流保存複製モジュール
４４、６４                      制御回路
６０                            表示デバイス
【図１】
2004272191.tif 000003
【図２】
2004272191.tif 000004
【図３】
2004272191.tif 000005
【図４】
2004272191.tif 000006
【図５】
2004272191.tif 000007
【図６】
2004272191.tif 000008
【図７】
2004272191.tif 000009
【図８】
2004272191.tif 000010
【図９】
2004272191.tif 000011